(57)【要約】      （修正有）【課題】単純な構成でありながら蓋をした状態で食品収容部に収容されているおかず等を視認できるようにすること、及び食品収容部の一部又は全部を内蓋と外蓋によって二重に閉塞することで、汁漏れや匂いの拡散を抑えること。【解決手段】食品収容部１１、１２を有する内容器１と、枠材２と、食品収容部１１を覆う透明な内蓋３と、内容器１の上面を覆う外蓋４とを備え、内蓋３は食品収容部１１を覆った状態において内容器１の上面より突出する突出部３２を有し、外蓋４は内容器１の上面を覆った状態において突出部３２が嵌入する透孔４１を有している食品包装用容器。【選択図】図１
2017186047.tif 000002
【特許請求の範囲】
【請求項１】
食品収容部を有する箱体と、前記食品収容部を覆う内蓋と、前記箱体の上面を覆う外蓋とを備える食品包装用容器であって、
前記内蓋は、前記食品収容部を覆った状態において、前記箱体の上面より突出する突出部を有するとともに、前記突出部の少なくとも一部が透明であり、
前記外蓋は、前記箱体の上面を覆った状態において、前記突出部が嵌入する透孔を有している
ことを特徴とする食品包装用容器。
【請求項２】
前記内蓋は、周縁部の少なくとも一部に複数の突条を有し、
前記食品収容部は、上縁部の少なくとも一部に前記複数の突条が各々係合可能な複数の溝条を有している
ことを特徴とする請求項１記載の食品包装用容器。
【請求項３】
前記箱体は、前記食品収容部を複数有しており、
前記食品収容部の少なくとも一つが、前記内蓋により覆われるようになっている
ことを特徴とする請求項１又は２記載の食品包装用容器。
【発明の詳細な説明】
【技術分野】
【０００１】
本発明は、主として、ごはん類、麺類、各種惣菜などの食品を収容するための食品包装用容器に関する。
【背景技術】
【０００２】
このような食品包装用容器として、食品収容部を１又は複数有している容器と、その容器の開口部を覆う蓋を有するとともに、蓋をした状態で容器に収容されている食品を視認可能としたものが提案されている。
例えば、特許文献１（実用新案登録第３１３６９１９号公報）には、矩形の箱体（１２）、外蓋体（１４）、内蓋体（１６）及び引き戸片（１９）からなる食品容器（１１）が記載されている。
そして、この食品容器（１１）の外蓋体（１４）には開口（１５）が設けられ、内蓋体（１６）には視認窓（１７）が穿設されるとともに透明フィルム（１８）が貼着してある。
食品容器（１１）を使用するにあたっては、引き戸片（１９）を開口（１５）の下と内蓋体（１６）との間に挟み込むように配置し、内蓋体（１６）の係止片（１６ｃ）を外蓋体（１４）の内側に設けた切欠（１４ｃ）に係合して蓋体を組み立てる。
その後、箱体（１２）におかず等を収容した後、組み立てた蓋体を被せて開口部を覆う。
そのため、食品容器（１１）の使用中において、引き戸片（１９）が視認窓（１７）を閉塞した状態では箱体（１２）の内部を視認できないが、引き戸片（１９）を開放方向に摺動させれば視認窓（１７）が開放され、この窓から箱体（１２）の内部に収容されているおかず等を視認できるようになっている（特に段落００２６〜００３５及び図３〜１０を参照）。
【０００３】
ところが、特許文献１に開示されている食品容器（１１）は、外蓋体（１４）、内蓋体（１６）及び引き戸片（１９）が必要であり、さらに視認窓（１７）には透明フィルム（１８）が貼着してあるため、コストが高くなる上に蓋体の組み立てが面倒という問題があった。
【先行技術文献】
【特許文献】
【０００４】
【特許文献１】実用新案登録第３１３６９１９号公報
【発明の概要】
【発明が解決しようとする課題】
【０００５】
本発明の課題は上記の問題を解決し、簡易な構成でありながら蓋をした状態で食品収容部に収容されているおかず等を視認できるようにすることを第１の課題としている。
また、食品収容部の一部又は全部を内蓋と外蓋によって二重に閉塞することで、汁漏れや匂いの拡散を抑えることを第２の課題としている。
【課題を解決するための手段】
【０００６】
請求項１に係る発明は、食品収容部を有する箱体と、前記食品収容部を覆う内蓋と、前記箱体の上面を覆う外蓋とを備える食品包装用容器であって、前記内蓋は、前記食品収容部を覆った状態において、前記箱体の上面より突出する突出部を有するとともに、前記突出部の少なくとも一部が透明であり、前記外蓋は、前記箱体の上面を覆った状態において、前記突出部が嵌入する透孔を有していることを特徴とする。
【０００７】
請求項２に係る発明の食品包装用容器は、請求項１記載の食品包装用容器において、前記内蓋は、周縁部の少なくとも一部に複数の突条を有し、前記食品収容部は、上縁部の少なくとも一部に前記複数の突条が各々係合可能な複数の溝条を有していることを特徴とする。
【０００８】
請求項３に係る発明の食品包装用容器は、請求項１又は２記載の食品包装用容器において、前記箱体は、前記食品収容部を複数有しており、前記食品収容部の少なくとも一つが、前記内蓋により覆われるようになっていることを特徴とする。
【発明の効果】
【０００９】
請求項１に係る発明の食品包装用容器は、内蓋が食品収容部を覆った状態において、箱体の上面より突出する突出部を有するとともに、突出部の少なくとも一部が透明である。
また、外蓋が箱体の上面を覆った状態において、突出部が嵌入する透孔を有している。
そのため、内蓋及び外蓋をしたままの状態で、突出部の透明な部分を通して、容器内部に収容されているおかず等を視認できるようにすることができ、内蓋や外蓋が簡易な構成であることから、食品包装用容器の製造コストを抑えることができる。
そして、食品収容部と内蓋との間から収容している食品の煮汁等が漏れても、煮汁等は外蓋と箱体の上面との間又は外蓋と突出部との間を通過しないと外に漏れ出さないので、汁漏れや匂いの食品包装用容器外部への拡散を抑えることができる。
さらに、内蓋は箱体の上面より突出する突出部を有しているので、かさばる食品類を収容し易いという効果も得られる。
【００１０】
請求項２に係る発明によれば、請求項１に係る発明の食品包装用容器による効果に加えて、内蓋は周縁部の少なくとも一部に複数の突条を有し、食品収容部は上縁部の少なくとも一部に複数の突条が各々係合可能な複数の溝条を有しているので、内蓋が食品収容部から外れにくく、より確実に汁漏れや匂いの拡散を抑えることができる。
【００１１】
請求項３に係る発明によれば、請求項１又は２に係る発明の食品包装用容器による効果に加えて、箱体が食品収容部を複数有しており、食品収容部の少なくとも一つが内蓋により覆われるようになっているので、種類の異なる食品を別々に収容することができ、また、汁漏れや匂いの拡散し易い食品を内蓋で覆うことのできる食品収容部に収容することにより、他の食品収容部に収容した食品に匂いが移ることを防止できる。
【図面の簡単な説明】
【００１２】
【図１】実施例に係る食品包装用容器の構造を示す斜視図。
【図２】蓋を被せた後における実施例に係る食品包装用容器の斜視図。
【発明を実施するための形態】
【００１３】
以下、実施例によって本発明の実施形態を説明する。
【実施例】
【００１４】
図１は実施例に係る食品包装用容器の構造を示す斜視図である。
この斜視図に示すとおり、実施例に係る食品包装用容器は、薄いプラスチック製で一体成形により作製された内容器１と、発泡プラスチック製の枠材２と、透明なプラスチック製の内蓋３と、発泡プラスチック製の外蓋４を備えている。
また、図２は蓋を被せた後における実施例に係る食品包装用容器の斜視図である。
【００１５】
内容器１は、大きな食品収容部１１と、小さな食品収容部１２を有している。
そして、内容器１の上縁には外方に広がり下方に折れ曲がっているＬ字状の外縁部１３が形成され、内容器１の上縁の四隅の内側には上方に突出する突起１４が設けてある。
また、大きな食品収容部１１の上縁部には環状の段差部１５が形成され、各辺の上縁部の中央には段差部１５に沿って溝条１６が設けてある。
【００１６】
枠材２は、発泡プラスチックの板４枚を環状に接続したものであり、開いた状態では図１に示すように直方体状となり、閉じた状態では対向する内面同士が密着し、発泡プラスチックの板を２枚重ねた状態にすることが可能となっている。
そして、食品包装用容器の利用に際しては、閉じた状態の枠材２を開いて直方体状とした後、直方体状とした枠材２の上から内容器１を落とし込み、内容器１の外縁部１３を枠材２の上端部に当接させれば良い。
なお、枠材２は開いた時に回転対称形となるので、内容器１を落とし込む際に方向性を気にすることなく組み立てることができる。
【００１７】
内蓋３は、透明な薄いプラスチックを成形したものであり、図１に示すように、大きな食品収容部１１の上縁部に嵌合する周縁部３１と、周縁部３１の内側で上方に突出する突出部３２を有している。
また、周縁部３１の各辺の中央には突条３３が形成され、突出部３２の４つの側面３４の中央部には内蓋３を持ち易くするための凹部３５が設けられている。
そして、内蓋３を大きな食品収容部１１に被せると、その周縁部３１は、食品収容部１１の上縁部に嵌合し、周縁部３１の下端が段差部１５に突き当たるとともに、周縁部３１の各辺の中央に設けられた突条３３が、段差部１５に沿って設けてある溝条１６に係合するようになっている。
さらに、内蓋３の突条３３が溝条１６に係合した状態において、突出部３２の上面３６は、内容器１の上面（内容器１の上縁を含む平面）より上方に突出する高さとなっている。
【００１８】
内容器１の上に被せる外蓋４は、内容器１の上面形状とほぼ同じ形の発泡プラスチックよりなる平板であり、図１に示すように、矩形状の透孔４１が設けてあるとともに、下面４２の四隅にＬ字形状の凹み４３が設けてある。
そして、内蓋３を大きな食品収容部１１に被せ、かつ、外蓋４を内容器１の上に被せた時、Ｌ字形状の凹み４３に突起１４が嵌入するとともに、矩形状の透孔４１に突出部３２が嵌入する。
そのため、外蓋４の下面４２の周囲は内容器１の外縁部１３に接触し、また、突出部３２の上面３６と外蓋４の上面４４は略面一となって、図２に示す状態となる。
【００１９】
実施例の変形例を列記する。
（１）実施例においては、直方体状とした枠材２の上から内容器１を落とし込み、内容器１の外縁部１３を枠材２の上端部に当接させて組み立てているが、食品収容部を有し、食品収容部を内蓋で覆い、箱体の上面を外蓋で覆うことのできる箱体であれば、どのようなものであっても良い。
（２）実施例においては突起１４を内容器１の四隅の内側に設け、外蓋４の下面の四隅にＬ字形状の凹み４３を設けてあるが、凹み４３に代えて突起１４を受け入れられる大きさの穴としても良く、突起１４及びＬ字形状の凹み４３を設けない構造としても良い。
また、外蓋４を内容器１又は枠材２に対して固定する固定手段を設ければ、内蓋３の突出部３２が透孔４１に嵌入することとあいまって、内蓋３もはずれにくくなり、汁漏れや匂いの拡散を抑える効果を増大させることができるのでより良い。
なお、凹み４３に代えて穴とした場合、穴の深さを突起１４より浅くすると、外蓋４を被せた時に突起１４が穴の上に突出し、同じ食品包装用容器を積み重ねた際に突出した突起１４が上側の枠材２の下端部内面に接するので、食品包装用容器同士がずれにくく積み重ねた状態で運び易くなる。
そして、突起１４やＬ字形状の凹み４３等を設けない場合には、外蓋４の周囲の一部又は全部に外蓋４が内容器１に対してずれないようにするための突片等を設けた方が良い。
【００２０】
（３）実施例の内容器１は、大きな食品収容部１１と、小さな食品収容部１２を有しているが、食品収容部の数、大きさ及び配置はこの例に限らず適宜選択可能である。
（４）実施例においては、大きな食品収容部１１のみに内蓋３を被せることができるようにしたが、小さな食品収容部１２のみに内蓋を被せることができるようにしても良く、両方の食品収容部１１、１２に内蓋を被せることができるようにしても良い。
そうした場合、外蓋４には内蓋の内容器１の上面より突出する突出部に対応する箇所に、その突出部が嵌入する透孔を設ける必要がある。
（５）実施例においては、内蓋３を大きな食品収容部１１に被せ、かつ、外蓋４を内容器１の上に被せた時、突出部３２の上面３６と外蓋４の上面４４が略面一となるようにしていたが、突出部３２の上面３６は、外蓋４の上面４４より高くても低くても良い。
ただし、外蓋４の上面４４より高くする場合、その突出量は枠材２の下端部と大きな食品収容部１１の底面の高さの差以下とし、複数の食品包装用容器を重ねた場合に、安定して積み重ねられるようにした方が良い。
【００２１】
（６）実施例においては、大きな食品収容部１１の上縁部に段差部１５や溝条１６を設け、内蓋３の周縁部３１に突条３３を形成したが、これらを設けずに内蓋３を大きな食品収容部１１の上縁部に被せるようにしても良い。
（７）実施例においては、４つの側面３４の中央部に内蓋３を持ち易くするための凹部３５が設けられているが、この凹部３５は設けなくても良い。
（８）実施例の内蓋３は透明な薄いプラスチックを成形したものであり、外蓋４は発泡プラスチックよりなる平板であったが、いずれも材質は何でも良い。
ただし、内蓋３については、少なくとも突出部３２の一部又は全部を透明とし、内蓋３を大きな食品収容部１１に被せ、かつ、外蓋４を内容器１の上に被せた時、その透明な部分を通して大きな食品収容部１１に収容された食品を視認できるようにする必要がある。
【符号の説明】
【００２２】
１  内容器      ２  枠材        ３  内蓋      ４  外蓋
１１  大きな食品収容部      １２  小さな食品収容部
１３  Ｌ字状の外縁部      １４  突起      １５  段差部      １６  溝条
３１  周縁部      ３２  突出部      ３３  突条
３４  側面      ３５  凹部      ３６  上面
４１  透孔      ４２  下面      ４３  Ｌ字形状の凹み      ４４  上面
【図１】
2017186047.tif 000003
【図２】
2017186047.tif 000004